(57)【要約】【課題】島管理装置内に、各々の紙幣搬送装置から搬送した紙幣を整列収納する、各々の紙幣収納装置を取り付けても、見た目が良く、さらに遊技店にて異なる島幅であっても見た目良く、筐体内部に取り付けることができる島管理装置を提供する。【解決手段】両側の横方向に配列された遊技台の上方近傍に設置され、遊技台配列方向に沿って紙幣搬送路を形成して紙幣を搬送する紙幣搬送部を備えた紙幣搬送装置の終端に、各々の紙幣搬送装置にて搬送されてきた紙幣を整列収納する各々の紙幣収納装置を備えた島管理装置であって、島管理装置は、略矩形形状の筐体から形成され、該筐体の両側壁は、幅調整機構によって伸縮自在と成し、各々の紙幣収納装置の取り付け位置に応じて、筐体の両側壁の長さを可変させる、構成とした。【選択図】        図４
2004290304.tif 000002
【特許請求の範囲】
【請求項１】
両側の横方向に配列された遊技台の上方近傍に設置され、遊技台配列方向に沿って紙幣搬送路を形成して紙幣を搬送する紙幣搬送部を備えた紙幣搬送装置の終端に、各々の紙幣搬送装置にて搬送されてきた紙幣を整列収納する各々の紙幣収納装置を備えた島管理装置であって、
前記島管理装置は、略矩形形状の筐体から形成され、該筐体の両側壁は、幅調整機構によって伸縮自在と成し、前記各々の紙幣収納装置の取り付け位置に応じて、前記筐体の両側壁の長さを可変させるようにしたことを特徴とする、島管理装置。
【発明の詳細な説明】
【０００１】
【発明の属する技術分野】
本発明は、遊技店の各遊技島の島端に取り付けられ、遊技島に設置された紙幣搬送装置にて搬送してきた紙幣を整列収納する紙幣収納装置を備えた島管理装置に係り、特に島管理装置の筐体の両側壁が伸縮自在に形成され、紙幣収納装置の取り付け位置に応じて両側壁の長さが可変する、島管理装置に関する。
【０００２】
【従来の技術】
遊技店は、パチンコ台やスロットマシン等の遊技台を横方向の両側に直線状に配置して遊技島を形成している。図１２は、遊技台２を両側に複数台配列した遊技島１が例示されている（図示は片側のみ）。図１２において、遊技台２はスロットマシンとして例示され、遊技台２の間には遊技台の二台に一台の割合で遊技媒体貸出機３が配設されている。図示するスロットマシンに対応する遊技媒体は、メダルであるのでこの貸出機はメダル貸出機である。遊技台がパチンコ台であれば、遊技媒体貸出機はパチンコ玉貸出機となる。遊技島１は、さらに各遊技台２の上方に遊技島設備品としての呼び出しランプ４及びその上方にストック箱等を置いておく玉箱収納部５が設けられている。
【０００３】
上記した遊技島１は、図示しない柱部材と水平部材により構築された支持枠体内に各遊技台２及び遊技媒体貸出機３が複数台組み込まれている。ここでの遊技島１において、遊技媒体貸出機３に投入された紙幣は、両側の横方向に配列された遊技台の上方近傍の前面側に設置され、遊技台配列方向に沿って紙幣搬送路を形成して紙幣を搬送する紙幣搬送部を備えた紙幣搬送装置６にて搬送される。また、紙幣搬送装置６にて搬送された紙幣は終端、すなわち島端の島管理装置８の筐体８ａ内部に設けた紙幣収納装置７にて整列収納される。
【０００４】
図１２に示した紙幣搬送装置６は、昨今提案されていて、大掛かりな島改築を行うことなく、遊技島１の遊技台の上方近傍の位置に簡易に設置することが可能に成っている。
紙幣搬送装置６は、遊技島１の内部に設置するのでなく、両側の横方向に配列された遊技台２の上方近傍の前面側に、例えばユニット形態とし、遊技台２の配列方向に延びる搬送路に沿って紙幣を起立姿勢で搬送する紙幣搬送部６ｂを有した紙幣搬送ユニット６ａから構成されている。そして、該紙幣搬送ユニット６ａを前記個々の遊技台２に対応して複数台連接して設置することにより、紙幣搬送装置６の機能と成る。
【０００５】
上記した紙幣搬送装置６は、遊技台の上方近傍の位置に簡易に設置することができる反面、両側に遊技台２及び遊技媒体貸出機３を設けた遊技島、所謂両面島の場合においては、紙幣搬送装置６を両面に各々、設置し、さらに紙幣搬送装置６の終端の両側に、各々の紙幣収納装置７を各々の島管理装置８に取り付ける必要がある（図１２参照）。また、島管理装置８の筐体８ａ内部には、整列収納した紙幣の枚数を計数し、売り上げ出力する制御部８ｂが各々一個づつ設けられている。
【０００６】
ところで、下記の特許文献においては、上述した紙幣搬送装置の取り付け形態と異なるが、遊技島の最上部付近に、ユニット形態として遊技台の配列方向に延びる搬送路に沿って紙幣を起立姿勢で搬送する紙幣搬送部を有した紙幣搬送ユニットによる紙幣搬送装置にて紙幣を搬送する構成が開示されている。遊技島の最上部付近の両側に設けられた紙幣搬送装置によって島端まで搬送し、姿勢変換させた後に島端に設けられた一箇所の紙幣収納装置（回収部）にて整列収納するように構成されている（公報の第９図参照）。
【０００７】
【特許文献１】
特開平１−２６１１３９号公報
【０００８】
【発明が解決しようとする課題】
上記したように、遊技島が両面島の場合は、各々の紙幣搬送装置の終端の両側に、各々の島管理装置が設けられ、該島管理装置の内部に各々の紙幣搬送装置に対応した紙幣収納装置を取り付けるため、概観上、見た目が悪いと指摘され、島デザイン（島飾り装飾）にも影響及ぼしていた。また、遊技店の遊技島の島幅は、遊技店の床面積や島レイアウト等によって様々であり、郊外店においては遊技島の島幅が広く構築される場合があり、ビル等のテナント内に設置される遊技島は島幅が狭く構築される場合がある（例えば、広い島幅は約５６０ｍｍで、狭い島幅は約５００ｍｍとして構築される）。
上記した島管理装置において、各々の紙幣収納装置を、二箇所取り付けても、見た目が良く、さらに遊技店において異なる島幅の遊技島であっても見た目良く、筐体内部に取り付けることが出来るように要望されていた。
【０００９】
上記特許文献１においては、一箇所の紙幣収納装置にて収納整列させるようにしているが、終端付近にて紙幣の姿勢を変換しなくてはならず、紙幣詰まりが生じ易く頻繁にトラブルを招き、紙幣を変換する搬送過程において発生した紙幣詰まり等の不具合は迅速に対応することが困難であった。
【００１０】
本発明は、上述の問題点を考慮してなされたものであり、島管理装置内に、各々の紙幣搬送装置から搬送した紙幣を整列収納する、各々の紙幣収納装置を取り付けても、見た目が良く、さらに遊技店にて異なる島幅であっても見た目良く、筐体内部に取り付けることができる島管理装置を提供する、ことを目的とする。
【００１１】
【課題を解決するための手段】
以上のような課題を解決するために、本発明の島管理装置は、両側の横方向に配列された遊技台の上方近傍に設置され、遊技台配列方向に沿って紙幣搬送路を形成して紙幣を搬送する紙幣搬送部を備えた紙幣搬送装置の終端に、各々の紙幣搬送装置にて搬送されてきた紙幣を整列収納する各々の紙幣収納装置を備えた島管理装置であって、
前記島管理装置は、略矩形形状の筐体から形成され、該筐体の両側壁は、幅調整機構によって伸縮自在と成し、前記各々の紙幣収納装置の取り付け位置に応じて、前記筐体の両側壁の長さを可変させる構成、としたことを特徴とする。
【００１２】
【発明の実施の形態】
以下、本発明に係る島管理装置の好適な実施の形態を説明する。図１は、本発明に係る島管理装置を遊技島の島端に設置した状態を示す斜視図である。図２は、本発明に係る島管理装置を遊技島の島端に設置した時を示し、特に島幅が広い遊技島（約５６０ｍｍ幅）の平面図である。図３は、本発明に係る島管理装置を遊技島の島端に設置した時を示し、とくに島幅が狭い遊技島（約５００ｍｍ幅）の平面図である。
なお、ここでの紙幣搬送装置１６は、ユニット形態から成る紙幣搬送ユニット１６ａを複数台連接した構成による説明としたが、この紙幣搬送装置１６の構成に限定されるものでなく、例えば一本の搬送ベルトを遊技島の長さに掛け渡した構成の紙幣搬送装置でも良く、他の構成の紙幣搬送装置にて紙幣を搬送しても良い。
【００１３】
図１に示す遊技島１０は、複数台の遊技台１２と遊技媒体貸出機１３とが横方向に配列して構築されている。図示する遊技台１２はスロットマシンとして示されているが、他の種類、例えば、パチンコ台であっても良い。遊技島１０は、図２に示すように遊技台を背中合わせとなるように２列（所謂、両面島）に配列するのが一般的である。
ここでの遊技島１０（スロットマシン設置島）においては、各遊技台１２の上方近傍に延在する取付板１１（たとえば、ランプ板）に、遊技台１２の配列ピッチと略同じ長さを有する紙幣搬送部１６ｂを備えた紙幣搬送ユニット１６ａが取付金具１６ｄにて配置され、各紙幣搬送ユニット１６ａが横方向に連接されることによって紙幣搬送装置１６を構成している。なお、各紙幣搬送ユニット１６ａの搬送路蓋部１６ｃの前面には、遊技の内容や状況に応じた表示、動作を行うための操作部を有する呼び出しランプ１４が取り付けられ、さらに配置された上方には、ストック箱を置いておく玉箱収納部１５が設けられている。
【００１４】
各々列の紙幣搬送ユニット１６ａの紙幣投入口１６ｆに投入された紙幣は、各々列の紙幣搬送ユニット１６ａの内部に送り込まれ、下流側（図中左隣）の紙幣搬送ユニット１６ａへと順次送られていく。そして、最終的には遊技島１０の島端（図中最左端）に設けられた紙幣収納装置１７を備えた島管理装置１８内に送られ、該紙幣収納装置１７の各々の紙幣収納部１７ａにて整列収納し、金種別もしくは混在で収容される。この島管理装置１８の筐体１８ａの内部には、整列収納した紙幣の枚数を計数し、売り上げ出力する制御部１８ｂが一個設けられている。この制御部１８ｂと、各々の紙幣収納部１７ａとが電気的（伝送ケーブル等）に接続されているため、一個の制御部１８ｂを共通にして、各々（両側）の紙幣の枚数を計数し、売り上げ出力することができる。その結果、今まで各々の制御部で行っていた売り上げ出力を一個で処理することが可能となり、製品コストが低減される。
【００１５】
先ず、本実施形態の紙幣搬送装置１６の紙幣搬送ユニット１６ａの構成について説明する。
図６は、一ユニット形態の紙幣搬送ユニット１６ａの構造を示す分解斜視図であり、図７は、実際に使用される状態での紙幣搬送ユニット１６ａを示し、前面の搬送路蓋部１６ｃを閉じることによって紙幣搬送部１６ｂが収納された状態を示している。
紙幣搬送ユニット１６ａは、取付板１１に固定設置される取付金具１６ｄと、取付金具１６ｄに設置されて紙幣の搬送を行う紙幣搬送部１６ｂと、取付金具１６ｄに開閉自在に設置されて紙幣搬送部１６ｂを覆う搬送路蓋部１６ｃとから構成されている。これら取付金具１６ｄと紙幣搬送部１６ｂと搬送路蓋部１６ｃで構成されている紙幣搬送ユニット１６ａは、各遊技台１２の横幅と略同じ大きさで設置されることになる。なお、図示される紙幣搬送ユニット１６ａの場合、紙幣は右下から左上へと向けて送られる。また、店員が搬送路蓋部１６ｃを開閉する際は、紙幣投入口カバー１６ｅに設けられた錠部材を鍵操作して開閉動作を行う。このように紙幣投入口カバー１６ｅに錠部材を設けることで、不正に抜き取られる盗難を防止している。
【００１６】
さらに、紙幣搬送ユニット１６ａの細部の構成について説明していく。紙幣搬送部１６ｂは、紙幣搬送ユニット１６ａの一端側に紙幣を投入するための紙幣投入口１６ｆを有する紙幣投入口カバー１６ｅと、投入された紙幣が正常な紙幣であるかを識別する紙幣識別器１６ｇと、投入された紙幣を搬送するための駆動力を発生させる搬送駆動部と、搬送駆動部からの駆動力を伝達された紙幣が次の紙幣搬送ユニット１６ａあるいは紙幣収納装置１７に搬送されるために通過する紙幣搬送部１６ｂとを有している。
なお、本実施の形態に係る紙幣搬送ユニット１６ａでは、千円紙幣、二千円紙幣、五千円紙幣、一万円紙幣という全種類の紙幣を搬送することが可能となっている。尚、図示しないが紙幣でなく硬貨（５００円硬貨）を搬送する硬貨搬送装置を併設しても良い。
【００１７】
紙幣投入口カバー１６ｅを有する紙幣投入口１６ｆは、紙幣を紙幣識別器１６ｇに正しく挿入するために設けられており、この紙幣投入口１６ｆに対して、紙幣は起立姿勢で投入される。紙幣識別器１６ｇには、磁気センサ等投入された紙幣の正偽及び券種を識別するためのセンサ類が装備されている。この紙幣識別器１６ｇが備える識別装置については、周知のあらゆる紙幣識別技術を採用することが可能である。また、搬送駆動部は、駆動力を発生するモータとそのモータ回転軸に掛け回された搬送ベルトから構成されている。この搬送ベルトは、搬送駆動部から搬送部全体にわたって掛け回されている。搬送ベルトの対面には着脱自在なローラが設置されており、投入された紙幣は搬送ベルトとローラによって挟持され、搬送されることになる。このような機構によって、紙幣投入口１６ｆから投入された紙幣は、次の紙幣搬送ユニット１６ａあるいは紙幣収納装置１７に順次搬送されていく。なお、本実施の形態に係る紙幣搬送ユニット１６ａでは、紙幣が投入されたときのみ搬送を実施する間欠運転が行われている。
【００１８】
図８は、本実施の形態に係る紙幣搬送ユニット１６ａの平面図であり、紙幣の搬送経路を説明するための図である。なお、図８は、紙幣投入口カバー１６ｅを外した状態の紙幣搬送ユニット１６ａを示している。紙幣投入口１６ｆから投入された紙幣は、矢印（Ａ）で示される紙幣投入路を通過することになる。ここで、紙幣識別器１６ｇによって、不正な紙幣が投入されたと判断されると、紙幣識別器自身が備える駆動機構１６ｈによって不正紙幣は払い出されることになる。なお、この駆動機構１６ｈは、常には紙幣の搬送を行うものであり、紙幣の搬送及び排除という２種類の機能を果たしている。矢印（Ｂ）で示される主搬送路には、上流に設置されている別の紙幣搬送ユニット１６ａからの紙幣が搬送されてくる。紙幣投入路（Ａ）と主搬送路（Ｂ）は、分離ガイド１６ｉによって分離されている。ここで、紙幣投入路（Ａ）と主搬送路（Ｂ）の合流部（Ｘ）において紙幣を接触させないため、紙幣投入路（Ａ）には、紙幣が待機できるだけの長さが確保されている。この待機長の確保によって、主搬送路（Ｂ）の搬送を優先して行うことになる。
【００１９】
すなわち、主搬送路（Ｂ）から搬送されてくる紙幣を検知するためのセンサ（不図示）からの信号によって、主搬送路（Ｂ）に紙幣が搬送されているときには、紙幣投入路（Ａ）に投入された紙幣は搬送を停止して待機状態とし、主搬送路（Ｂ）の紙幣が合流部（Ｘ）を通過後に紙幣投入路（Ａ）の紙幣を搬送することになる。その後、紙幣搬送部１６ｂが形成する紙幣搬送通路（Ｃ）を通過する。このような搬送を行うことにより、搬送途中において紙幣が重なることはなく、一枚づつ搬送することができるので、各々の紙幣収納部１７ａにて正確な売り上げカウントを行うことができる。なお、投入された紙幣が正札であれば、遊技媒体貸出機１３から投入された紙幣額に応じた遊技媒体が貸出されることになる。
【００２０】
次に、紙幣収納装置１７及び島管理装置１８の構成について説明する。
上述にて各々列の紙幣搬送装置１６にて搬送された紙幣は、島端に設置された島管理装置１８内の紙幣収納装置１７に搬送され、内部の各々の紙幣収納部１７ａにて整列収納される。この整列収納する時、紙幣の枚数を計数し、下記する制御部に売り上げ出力している。
島管理装置１８は、外観が略矩形形状の筐体１８ａから形成され、正面に施錠付の正面扉が設けられ、島端の妻板に取り付けられている。
また、島管理装置１８の内部には、各々の紙幣収納部１７ａから成る紙幣収納装置１７が支持枠に支持され、さらに、遊技島１０に備えた各種の遊技設備機器（遊技媒体貸機１３や紙幣搬送装置１６）の運転、トラブル、売り上げ集計等を掌握し、操作して管理するための制御部１８ｂが一個、上部に設けられている。
【００２１】
制御部１８ｂは、上記した搬送してきた紙幣の枚数を計数し、売り上げ出力する他に、各々に設けた紙幣収納装置１７の紙幣収納部１７ａを駆動制御させている。各々の紙幣収納装置１７の紙幣収納部１７ａには、回収した紙幣を順次一枚づつ整列収納させるスタック板と、該ストック板を駆動する駆動モータ等（共に不図示）が組み込まれていて、制御部１８ｂから指令に基づいて搬送されてきた紙幣をカウントし、カウント後の紙幣を整列収納するように指令している。
【００２２】
以下、本実施の形態で特徴的な構成を図２乃至図５に基づいて詳細に説明していく。
図４及び図５に示すように、島管理装置の筐体の両側壁には幅調整機構が設けられている。
図４及び図５に示した幅調整機構２０（たとえば、上下面長孔２０と、螺子２０ｂとから構成）について説明する。島管理装置１８の筐体１８ａの両側面は長方形状に開口した開口部１８ｄが設けられ、この開口部１８ｄに、略同じ大きさのコの字状に形成した側壁１８ｃを装着するのである。この側壁１８ｃを開口部１８ｄに装着するにあたっては、側壁１８ｃの上下に間隔を置いて設けた上下面長孔２０ａ（計八箇所）と、該上下面長孔２０ａ内に螺子２０ｂ（計八箇所）を嵌め込んで水平方向に伸縮自在の構成としたことで、側壁１８ｃの長さ（突出する長さ）を可変させることができる。
また、両側壁１８ｃを、伸縮させ、筐体１８ａの側壁１８ｃの長さを島幅に応じて可変させた後、螺子２０ｂにて位置を固定させるが、上面の上下面長孔２０ａはとくに外観上、目立つため、ここでは突出した側壁１８ｃの上面と同じ大きさに切ったシール部材２０ｃ（ここでは片側のみ）を貼ることで、目立たないようにさせている（図５参照）。なお、シール部材とせず、カバー等を被せるようにしても良い。
【００２３】
このように、島管理装置１８の筐体１８ａの両側壁１８ｃが、上記した幅調整機構２０によって伸縮自在に構成されているため、各々の紙幣収納装置１７の紙幣収納部１７ａの取り付け位置に応じて取り付けられ、さらに遊技店にて異なる遊技島の島幅であっても筐体１８ａの側壁１８ｃの長さを可変させることで筐体１８ａ内部に取り付けることができるため、概観上、見た目が良く成り、島デザイン（島飾り装飾）にも影響を及ぼすことがなくなる。
【００２４】
図２及び図３は、上記した島管理装置の筐体の側壁を遊技島の島幅に応じて調整した図である。図２は、本発明に係る島管理装置を遊技島の島端に設置した時を示し、特に島幅が広い遊技島の平面図である。
図２の遊技島の島幅は、通常より広く構築されており、島端の紙幣収納装置１７も幅広の位置に取り付けられている。このような遊技島の場合は、筐体１８ａに設けた島幅調整機構２０によって両側壁１８ｃを水平方向に伸ばすように引き出し、島幅に応じた位置で上下面長孔２０ａ内の螺子２０ｂにて固定し、その島幅に対応した長さに可変させるのである。
よって、遊技島１０の島幅が広い遊技店であっても対応することができ、見た目の島デザインにおいても、良くなる。
【００２５】
図３は、本発明に係る島管理装置を遊技島の島端に設置した時を示し、特に島幅が狭い遊技島の平面図である。
図３の遊技島の島幅は、通常より狭く構築されており、島端の紙幣収納装置１７も幅狭の位置に取り付けられている。このような遊技島の場合は、筐体１８ａに設けた島幅調整機構２０によって両側壁１８ｃを水平方向に縮めるように押し込み、島幅に応じた位置で上下面長孔２０ａ内の螺子２０ｂにて固定し、その島幅に対応した長さに可変させるのである。
よって、遊技島１０の島幅が狭い遊技店であっても対応することができ、見た目の島デザインにおいても良くなる。
【００２６】
次に、上記した島管理装置の筐体の両側壁に設けた幅調整機構の他の実施形態について説明する。
図１０及び図１１に示した幅調整機構２０（たとえば、上下長孔２０ｄと、螺子２０ｂとから構成）について説明する。なお、上記した幅調整機構２０の構成と異なる構成のみ説明し、同じ構成については省略する。
島管理装置１８の筐体１８ａの両側面は長方形状に開口した開口部１８ｄが設けられ、この開口部１８ｄに、略同じ大きさのコの字状に形成した側壁１８ｃを装着するのである。この側壁１８ｃを開口部１８ｄに装着するにあたっては、側壁１８ｃの内側面の折曲片に設けた上下長孔２０ｄ（計八箇所）と、該上下長孔２０ｄ内に螺子２０ｂ（計八箇所）を嵌め込んで水平方向に伸縮自在の構成としたことで、側壁１８ｃの長さを可変させることができる。
ここでの幅調整機構２０は、両側壁１８ｃの上面に上下面長孔２０ａを設けるのでなく、両側壁１８ｃの内側面の折曲片に上下長孔２０ｄが設けられている。この位置に設けることによって、上面の上下面長孔２０ａでなくなり、シール部材２０ｃを貼る必要がなくなる。
以上、説明した幅調整機構２０（上下面長孔２０ａと螺子２０ｂ）、及び他の実施形態の幅調整機構２０（上下長孔２０ｄと螺子２０ｂ）の構成に限定するものでなく、両側壁が伸縮自在して長さが可変する構成であれば、何でも良い。
【００２７】
【発明の効果】
以上述べたように、本発明によれば紙幣収納装置を備えた島管理装置の筐体の両側壁が幅調整機構によって長さが可変するため、遊技店において異なる島幅であっても島デザインの見た目が良く、筐体内部に取り付けることが出来る。
【図面の簡単な説明】
【図１】本発明に係る島管理装置を遊技島の島端に設置した状態を示す斜視図である。
【図２】本発明に係る島管理装置を遊技島の島端に設置した時を示し、特に島幅が広い遊技島の平面図である。
【図３】本発明に係る島管理装置を遊技島の島端に設置した時を示し、特に島幅が狭い遊技島の平面図である。
【図４】島管理装置の両側壁に設けた幅調整機構の構成を示す正面斜視図である。
【図５】島管理装置の両側壁に設けた幅調整機構の構成を示した図で、片側にシール部材が貼られた状態を示す正面斜視図である。
【図６】本実施形態の紙幣搬送装置の紙幣搬送ユニットの構成を示す分解斜視図である。
【図７】本実施形態の紙幣搬送ユニットの搬送蓋部を閉じた状態の構成を示す斜視図である。
【図８】本実施形態の紙幣搬送ユニットの内部構成を示す平面図である。
【図９】本実施形態の紙幣搬送ユニットで蓋を開けた状態を示す斜視図である。
【図１０】島管理装置の両側壁に設けた幅調整機構の他の実施形態を示す背面斜視図である。
【図１１】島管理装置の両側壁に設けた幅調整機構の他の実施形態を示す背面斜視図である。
【図１２】従来技術の島管理装置が島端に設置した状態を示す斜視図である。
【符号の説明】
１０    遊技島
１２    遊技台
１３    遊技媒体貸機
１６    紙幣搬送装置
１６ａ  紙幣搬送ユニット
１７    紙幣収納装置
１８    島管理装置
１８ａ  筐体
１８ｃ  側壁
２０    幅調整機構
２０ａ  上下面長孔
２０ｂ  螺子
２０ｄ  上下長孔
【図１】
2004290304.tif 000003
【図２】
2004290304.tif 000004
【図３】
2004290304.tif 000005
【図４】
2004290304.tif 000006
【図５】
2004290304.tif 000007
【図６】
2004290304.tif 000008
【図７】
2004290304.tif 000009
【図８】
2004290304.tif 000010
【図９】
2004290304.tif 000011
【図１０】
2004290304.tif 000012
【図１１】
2004290304.tif 000013
【図１２】
2004290304.tif 000014